(57)【要約】【課題】短スロット・サイクル・ページングのための方法及び装置。【解決手段】通信装置（ＣＤ）から基地局（ＢＳ）へ短スロット・サイクル・ページング情報を提供する方法及び装置は、該ＢＳからシステム・パラメータ・メッセージを受信すること、該ＢＳが短スロット・サイクル・ページングに対応可能であるかどうかを決定すること、及びもし該ＢＳが短スロット・サイクル・ページングに対応可能であると決定されるならば、該ＣＤもまた短スロット・サイクル・ページングに対応可能であることを示すことを含む。短スロット・サイクル・ページングを提供するためのＢＳにおける方法は、該ＢＳが短スロット・サイクル・ページングに対応可能であることをＣＤに示すこと、該ＣＤもまた短スロット・サイクル・ページングに対応可能であることを示す、該ＣＤからの情報を受信すること、そして受信された情報に基づいて該ＣＤをページングすることを含む。【選択図】      図２
2007532029.tif 000002
【特許請求の範囲】
【請求項１】
基地局（ＢＳ）へ短スロット・サイクル・ページング情報を提供するための通信装置（ＣＤ）における方法であって、該方法は
該ＢＳが短スロット・サイクル・ページングに対応可能であるかどうかを決定すること、及び
もし該ＢＳが短スロット・サイクル・ページングに対応可能であると決定されるならば、該ＣＤもまた短スロット・サイクル・ページングに対応可能であることを示すこと
を含む方法。
【請求項２】
前記短スロット・サイクル・ページングのために、負のスロット・サイクル・インデクス値をセットすることを更に含む請求項１の方法。
【請求項３】
負のスロット・サイクル・インデクス値は、“−１”、“−２”、“−３”、或は“−４”の内の１つを含む請求項２の方法。
【請求項４】
前記決定することは、システム・パラメータ・メッセージが拡張システム・パラメータ・メッセージ（ＥＳＰＭ）を含むことを検査することを含む請求項１の方法。
【請求項５】
前記決定することは、システム・パラメータ・メッセージがＡＮＳＩ−４１システム・パラメータ・メッセージ（Ａ４１ＳＰＭ）を含むことを検査することを含む請求項１の方法。
【請求項６】
前記決定することは、ＡＵＴＯ＿ＭＳＧ＿ＳＵＰＰＯＲＴＥＤフィールドが“１”にセットされているかどうかを検査することを含む請求項１の方法。
【請求項７】
前記示すことは、登録メッセージ、始動メッセージ、或は、ページ応答メッセージの内の１つにおいて、ＷＬＬ＿ＩＮＣＬを“１”にセットすることを含む請求項１の方法。
【請求項８】
ＳＬＯＴ−ＣＹＣＬＥ−ＩＮＤＥＸフィールドにおいて所望のスロット・サイクル長さをセットすることを更に含む請求項７の方法。
【請求項９】
ＷＬＬ−ＤＥＶＩＣＥ−ＴＹＰＥフィールドにおいて所望のスロット・サイクル長さをセットすることを更に含む請求項７の方法。
【請求項１０】
前記指示することは、登録メッセージ、始動メッセージ、及び、ページ応答メッセージの内の１つにおいて、“１”の最重要ビットを持つＳＬＯＴ−ＣＹＣＬＥ−ＩＮＤＥＸをセットすることを含む請求項１の方法。
【請求項１１】
短スロット・サイクル・ページングを提供するための基地局（ＢＳ）における方法であって、該方法は
該ＢＳが短スロット・サイクル・ページングに対応可能であることを通信装置（ＣＤ）に示すこと、
該ＣＤもまた短スロット・サイクル・ページングに対応可能であることを示す該ＣＤからの情報を受信すること、そして
受信された情報に基づいて該ＣＤをページングすること
を含む方法。
【請求項１２】
前記ページングすることは、負のスロット・サイクル・インデクス値に基づいて該ＣＤをページングすることを含む請求項１１の方法。
【請求項１３】
前記示すことは、拡張システム・パラメータ・メッセージ（ＥＳＰＭ）において、ＡＵＴＯ＿ＭＳＧ＿ＳＵＰＰＯＲＴＥＤフィールドを“１”にセットすることを含む請求項１１の方法。
【請求項１４】
前記示すことは、ＡＮＳＩ−４１システム・パラメータ・メッセージ（Ａ４１ＳＰＭ）において、ＡＵＴＯ＿ＭＳＧ＿ＳＵＰＰＯＲＴＥＤフィールドを“１”にセットすることを含む請求項１１の方法。
【請求項１５】
該情報は、登録メッセージ、始動メッセージ、或は、ページ応答メッセージの内の１つにおいて“１”にセットされたＷＬＬ＿ＩＮＣＬフィールドを含む請求項１１の方法。
【請求項１６】
該情報は、ＳＬＯＴ−ＣＹＣＬＥ−ＩＮＤＥＸフィールドにおいて、所望のスロット・サイクル長さを更に含む請求項１５の方法。
【請求項１７】
該情報は、ＷＬＬ−ＤＥＶＩＣＥ−ＴＹＰＥフィールドにおいて、所望のスロット・サイクル長さを更に含む請求項１５の方法。
【請求項１８】
該情報は、登録メッセージ、始動メッセージ、及び、ページ応答メッセージの内の１つにおいて、“１”の最重要ビットを持つＳＬＯＴ−ＣＹＣＬＥ−ＩＮＤＥＸを含む請求項１１の方法。
【請求項１９】
通信装置（ＣＤ）において、短スロット・サイクル・ページング情報を基地局（ＢＳ）に提供するための方法を、プロセッサが実行できるようにする符合を記憶するコンピュータ可読媒体であって、該方法は
該ＢＳが短スロット・サイクル・ページングに対応可能であるかどうかを決定すること、及び
もし該ＢＳが短スロット・サイクル・ページングに対応可能であることが決定されるならば、該ＣＤも又短スロット・サイクル・ページングに対応可能であることを示すことを含む、
コンピュータ可読媒体。
【請求項２０】
該方法は前記短スロット・サイクル・ページングのために負のスロット・サイクル・インデクス値をセットすることを更に含む請求項１９のコンピュータ可読媒体。
【請求項２１】
負のスロット・サイクル・インデクス値は“−１”、“−２”、“−３”、或は“−４”の内の１つを含む請求項２０のコンピュータ可読媒体。
【請求項２２】
前記決定することは、システム・パラメータ・メッセージが拡張システム・パラメータ・メッセージ（ＥＳＰＭ）を含むこと、を検査することを含む請求項１９のコンピュータ可読媒体。
【請求項２３】
前記決定することは、システム・パラメータ・メッセージがＡＮＳＩ−４１システム・パラメータ・メッセージ（Ａ４１ＳＰＭ）を含むことを検査することを含む請求項１９のコンピュータ可読媒体。
【請求項２４】
前記決定することは、ＡＵＴＯ＿ＭＳＧ＿ＳＵＰＰＯＲＴＥＤフィールドが“１”にセットされているかどうかを検査することを含む請求項１９のコンピュータ可読媒体。
【請求項２５】
前記示すことは、登録メッセージ、始動メッセージ、或は、ページ応答メッセージの内の１つにおいて、ＷＬＬ＿ＩＮＣＬを“１”にセットすることを含む請求項１９のコンピュータ可読媒体。
【請求項２６】
該方法は、ＳＬＯＴ−ＣＹＣＬＥ−ＩＮＤＥＸフィールドにおいて、所望のスロット・サイクル長さをセットすることを更に含む請求項２５のコンピュータ可読媒体。
【請求項２７】
該方法は、ＷＬＬ−ＤＥＶＩＣＥ−ＴＹＰＥフィールドにおいて、所望のスロット・サイクル長さをセットすることを更に含む請求項２５のコンピュータ可読媒体。
【請求項２８】
前記指示することは、登録メッセージ、始動メッセージ、及び、ページ応答メッセージの内の１つにおいて、“１”の最重要ビットを持つＳＬＯＴ−ＣＹＣＬＥ−ＩＮＤＥＸをセットすることを含む請求項１９のコンピュータ可読媒体。
【請求項２９】
短スロット・サイクル・ページングを提供するための基地局（ＢＳ）におけるコンピュータ可読媒体であって、その方法は
該ＢＳが短スロット・サイクル・ページングに対応可能であることを通信装置（ＣＤ）に示すこと、
該ＣＤもまた短スロット・サイクル・ページングに対応可能であることを示すＣＤからの情報を受信すること、そして
受信された情報に基づいて該ＣＤをページングすること、
を含む方法。
【請求項３０】
前記ページングすることは負のスロット・サイクル・インデクス値に基づいて該ＣＤをページングすることを含む請求項２９のコンピュータ可読媒体。
【請求項３１】
前記示すことは、拡張システム・パラメータ・メッセージ（ＥＳＰＭ）において、ＡＵＴＯ＿ＭＳＧ＿ＳＵＰＰＯＲＴＥＤフィールドを“１”にセットすることを含む請求項２９のコンピュータ可読媒体。
【請求項３２】
前記示すことは、ＡＮＳＩ−４１システム・パラメータ・メッセージ（Ａ４１ＳＰＭ）において、ＡＵＴＯ＿ＭＳＧ＿ＳＵＰＰＯＲＴＥＤフィールドを“１”にセットすることを含む請求項２９のコンピュータ可読媒体。
【請求項３３】
該情報は、登録メッセージ、始動メッセージ、或は、ページ応答メッセージの内の１つにおいて“１”にセットされたＷＬＬ＿ＩＮＣＬフィールドを含む請求項２９のコンピュータ可読媒体。
【請求項３４】
該情報は、ＳＬＯＴ−ＣＹＣＬＥ−ＩＮＤＥＸフィールドにおいて、所望のスロット・サイクル長さを更に含む請求項３３のコンピュータ可読媒体。
【請求項３５】
該情報は、ＷＬＬ−＿ＤＥＶＩＣＥ−ＴＹＰＥフィールドにおいて、所望のスロット・サイクル長さを更に含む請求項３３のコンピュータ可読媒体。
【請求項３６】
該情報は、登録メッセージ、始動メッセージ、及び、ページ応答メッセージの内の１つにおいて、“１”の最重要ビットを持つＳＬＯＴ＿ＣＹＣＬＥ＿ＩＮＤＥＸを含む請求項２９のコンピュータ可読媒体。
【請求項３７】
短スロット・サイクル・ページング情報を基地局（ＢＳ）に提供するための通信装置（ＣＤ）であって、
該ＢＳが短スロット・サイクル・ページングに対応可能であるかどうかを決定するための手段、及び
もし該ＢＳが短スロット・サイクル・ページングに対応可能であることが決定されるならば、該ＣＤも又短スロット・サイクル・ページングに対応可能であることを示すための手段
を含む装置。
【請求項３８】
前記短スロット・サイクル・ページングのために負のスロット・サイクル・インデクス値をセットするための手段を更に含む請求項３７の通信装置。
【請求項３９】
負のスロット・サイクル・インデクス値は“−１”、“−２”、“−３”、或は“−４”の内の１つを含む請求項３７の通信装置。
【請求項４０】
前記決定するための手段は、システム・パラメータ・メッセージが拡張システム・パラメータ・メッセージ（ＥＳＰＭ）を含むことを検査するための手段を含む請求項３７の通信装置。
【請求項４１】
前記決定するための手段は、システム・パラメータ・メッセージがＡＮＳＩ−４１システム・パラメータ・メッセージ（Ａ４１ＳＰＭ）を含むことを検査するための手段を含む請求項３７の通信装置。
【請求項４２】
前記決定するための手段は、ＡＵＴＯ＿ＭＳＧ＿ＳＵＰＰＯＲＴＥＤフィールドが“１”にセットされているかどうかを検査するための手段を含む請求項３７の通信装置。
【請求項４３】
前記示すための手段は、登録メッセージ、始動メッセージ、或は、ページ応答メッセージの内の１つにおいて、ＷＬＬ＿ＩＮＣＬを“１”にセットするための手段を含む請求項３７の通信装置。
【請求項４４】
ＳＬＯＴ−ＣＹＣＬＥ−ＩＮＤＥＸフィールドにおいて、所望のスロット・サイクル長さをセットするための手段を更に含む請求項４３の通信装置。
【請求項４５】
ＷＬＬ−ＤＥＶＩＣＥ−ＴＹＰＥフィールドにおいて、所望のスロット・サイクル長さをセットするための手段を更に含む請求項４３の通信装置。
【請求項４６】
前記指示するための手段は、登録メッセージ、始動メッセージ、及び、ページ応答メッセージの内の１つにおいて、“１”の最重要ビットを持つＳＬＯＴ−ＣＹＣＬＥ−ＩＮＤＥＸをセットするための手段を含む請求項３７の通信装置。
【請求項４７】
短スロット・サイクル・ページングを提供するための基地局（ＢＳ）であって、
該ＢＳが短スロット・サイクル・ページングに対応可能であることを通信装置（ＣＤ）に示すための手段、
該ＣＤもまた短スロット・サイクル・ページングに対応可能であることを示す、該ＣＤからの情報を受信するための手段、及び
受信された情報に基づいて該ＣＤをページングするための手段
を含む基地局。
【請求項４８】
前記ページングするための手段は負のスロット・サイクル・インデクス値に基づいて該ＣＤをページングするための手段を含む請求項４７の基地局。
【請求項４９】
前記示すための手段は、拡張システム・パラメータ・メッセージ（ＥＳＰＭ）において、ＡＵＴＯ＿ＭＳＧ＿ＳＵＰＰＯＲＴＥＤフィールドを“１”にセットするための手段を含む請求項４７の基地局。
【請求項５０】
前記示すための手段は、ＡＮＳＩ−４１システム・パラメータ・メッセージ（Ａ４１ＳＰＭ）において、ＡＵＴＯ＿ＭＳＧ＿ＳＵＰＰＯＲＴＥＤフィールドを“１”にセットするための手段を含む請求項４７の基地局。
【請求項５１】
該情報は、登録メッセージ、始動メッセージ、或は、ページ応答メッセージの内の１つにおいて“１”にセットされたＷＬＬ＿ＩＮＣＬフィールドを含む請求項４７の基地局。
【請求項５２】
該情報は、ＳＬＯＴ−ＣＹＣＬＥ−ＩＮＤＥＸフィールドにおいて、所望のスロット・サイクル長さを更に含む請求項５１の基地局。
【請求項５３】
該情報は、ＷＬＬ−ＤＥＶＩＣＥ−ＴＹＰＥフィールドにおいて、所望のスロット・サイクル長さを更に含む請求項５１の基地局。
【請求項５４】
該情報は、登録メッセージ、始動メッセージ、及び、ページ応答メッセージの内の１つにおいて、“１”の最重要ビットを持つＳＬＯＴ−ＣＹＣＬＥ−ＩＮＤＥＸを含む請求項４７の基地局。
【請求項５５】
短スロット・サイクル・ページング情報を基地局（ＢＳ）に提供するために、
基地局（ＢＳ）からの情報を受信することが可能な受信機、
該基地局に情報を送信することが可能な送信機、及び
短スロット・サイクル・ページング情報を基地局（ＢＳ）に提供するための方法を遂行することが可能なプロセッサ
を含む通信装置（ＣＤ）であって、該方法は
該ＢＳが短スロット・サイクル・ページングに対応可能であるかどうかを決定すること；及び
もし該ＢＳが短スロット・サイクル・ページングに対応可能であることが決定されるならば、該ＣＤも又短スロット・サイクル・ページングに対応可能であることを示すことを含む、
通信装置。
【請求項５６】
該方法は、前記短スロット・サイクル・ページングのために負のスロット・サイクル・インデクス値をセットすることを更に含む請求項５５の通信装置。
【請求項５７】
負のスロット・サイクル・インデクス値は、“−１”、“−２”、“−３”、或は“−４”の内の１つを含む請求項５５の通信装置。
【請求項５８】
前記決定することは、システム・パラメータ・メッセージが拡張システム・パラメータ・メッセージ（ＥＳＰＭ）を含むことを検査することを含む請求項５５の通信装置。
【請求項５９】
前記決定することは、システム・パラメータ・メッセージがＡＮＳＩ−４１システム・パラメータ・メッセージ（Ａ４１ＳＰＭ）を含むことを検査することを含む請求項５５の通信装置。
【請求項６０】
前記決定することは、ＡＵＴＯ＿ＭＳＧ＿ＳＵＰＰＯＲＴＥＤフィールドが“１”にセットされているかどうかを検査することを含む請求項５５の通信装置。
【請求項６１】
前記示すことは、登録メッセージ、始動メッセージ、或は、ページ応答メッセージの内の１つにおいて、ＷＬＬ＿ＩＮＣＬを“１”にセットすることを含む請求項５５の通信装置。
【請求項６２】
該方法は、ＳＬＯＴ−ＣＹＣＬＥ−ＩＮＤＥＸフィールドにおいて、所望のスロット・サイクル長さをセットすることを更に含む請求項６１の通信装置。
【請求項６３】
該方法は、ＷＬＬ−ＤＥＶＩＣＥ−ＴＹＰＥフィールドにおいて、所望のスロット・サイクル長さをセットすることを更に含む請求項６１の通信装置。
【請求項６４】
前記指示することは、登録メッセージ、始動メッセージ、及び、ページ応答メッセージの内の１つにおいて、“１”の最重要ビットを持つＳＬＯＴ−ＣＹＣＬＥ−ＩＮＤＥＸをセットすることを含む請求項５５の通信装置。
【請求項６５】
短スロット・サイクル・ページングを提供するための基地局（ＢＳ）であって、
通信装置（ＣＤ）からの情報を受信することが可能な受信機、
該ＣＤに情報を送信することが可能な送信機、及び
短スロット・サイクル・ページングを提供するための方法を遂行することが可能なプロセッサを含み、該方法は
該ＢＳが短スロット・サイクル・ページングに対応可能であることを該ＣＤに示すこと、
該ＣＤもまた短スロット・サイクル・ページングに対応可能であることを示す、該ＣＤからの情報を受信すること、及び
受信された情報に基づいて該ＣＤをページングすることを含む、
基地局。
【請求項６６】
前記ページングすることは、負のスロット・サイクル・インデクス値に基づいて該ＣＤをページングすることを含む請求項６５の基地局。
【請求項６７】
前記示すことは、拡張システム・パラメータ・メッセージ（ＥＳＰＭ）において、ＡＵＴＯ＿ＭＳＧ＿ＳＵＰＰＯＲＴＥＤフィールドを“１”にセットすることを含む請求項６５の基地局。
【請求項６８】
前記示すことは、ＡＮＳＩ−４１システム・パラメータ・メッセージ（Ａ４１ＳＰＭ）において、ＡＵＴＯ＿ＭＳＧ＿ＳＵＰＰＯＲＴＥＤフィールドを“１”にセットすることを含む請求項６５の基地局。
【請求項６９】
該情報は、登録メッセージ、始動メッセージ、或は、ページ応答メッセージの内の１つにおいて“１”にセットされたＷＬＬ＿ＩＮＣＬフィールドを含む請求項６５の基地局。
【請求項７０】
該情報は、ＳＬＯＴ−ＣＹＣＬＥ−ＩＮＤＥＸフィールドにおいて、所望のスロット・サイクル長さを更に含む請求項６９の基地局。
【請求項７１】
該情報は、ＷＬＬ−ＤＥＶＩＣＥ−ＴＹＰＥフィールドにおいて、所望のスロット・サイクル長さを更に含む請求項６９の基地局。
【請求項７２】
該情報は、登録メッセージ、始動メッセージ、及び、ページ応答メッセージの内の１つにおいて、“１”の最重要ビットを持つＳＬＯＴ−ＣＹＣＬＥ−ＩＮＤＥＸを含む請求項６５の基地局。
【発明の詳細な説明】
【技術分野】
【０００１】
本発明は１対多地点通信システムに係わる。特に、本発明は相手移動局のグループの短スロット・サイクル・ページング（short-slot-cycles paging）を提供するための方法及び装置に関する。
【背景技術】
【０００２】
無線通信システムにおいて、登録は移動局がその所在地の基地局、状況、身分証明、スロット・サイクル、及び他の特性を通知するプロセスである。移動局は、移動局を端末とする通話を確立する場合に、基地局が効率的に移動局を呼び出すことができるように、その所在地の基地局及び状況を通報する。移動局を呼び出すことは、移動局への通話が申し込まれた時に該移動局を探すという動作を含む。あるアプリケーションにおいては呼出しセットアップを縮小するために、登録及びページング・サイクルを最小限にすることが望ましい。
【０００３】
例えば、迅速で、効率的な、１対１又は１対多数（グループ）通信のために企図されたある種の無線サービスが長年種々の形で存在してきた。一般に、これ等のサービスは半２重であった、そこではグループ通話を開始するために利用者は 電話／無線機 上の“プッシュ・ツー・トーク”“push-to-talk”（ＰＴＴ）ボタンを押す。もし発言権を認められるならば、次に送話者は一般に数秒間話す。該送話者がＰＴＴボタンを解除した後、他の利用者は発言を求めることができる。これ等のサービスは従来、１人の人“ディスパッチャー（dispatcher）”がフィールド・サービスの担当者或は建設現場の作業者等の様なグループの人々と通信する必要がある場合のアプリケーションにおいて使用されてきた、該ディスパッチャーはそのサービスに対する“ディスパッチ（dispatch）”という名前の由来となっている。同様なサービスはインターネット上で提供されてきた、そして、“ボイス・チャット（voice-chat）”として一般に知られている。これ等のサービスの鍵となる特徴は迅速な呼出しセットアップの願望である。従って、登録及びページングは相応に最適化される必要がある。
【０００４】
それ故、相手移動局のグループをページングするためのページング・サイクルを短縮する機構に対する要求がある。
【発明の開示】
【課題を解決するための手段】
【０００５】
開示される実施形態は無線通信ネットワークにおける移動局の短スロット・サイクル・ページングを提供するための新しいそして改良された方法及び装置を提供する。1つの態様において、短スロット・サイクル・ページングを提供するための通信装置（communication device）（ＣＤ）における方法は基地局（base station）（ＢＳ）からシステム・パラメータ・メッセージ（system parameter messages）を受信すること、該ＢＳは短スロット・サイクル・ページングに対応可能であるかどうかを決定すること、及び、もし該ＢＳは短スロット・サイクル・ページングに対応可能であると決定されるならば、該ＣＤも又短スロット・サイクル・ページングに対応可能であることを示すこと、を含む。該方法は更に短スロット・サイクル・ページングのために負のスロット・サイクル・インデクス値をセットすることを含む。
【０００６】
１つの態様において、短スロット・サイクル・ページングを提供するためのＢＳにおける方法は、該ＢＳは短スロット・サイクル・ページングに対応可能であることをＣＤに示すこと、該ＣＤも又短スロット・サイクル・ページングに対応可能であることを示す、該ＣＤからの情報を受信すること、及び、受信された情報に基づいて該ＣＤをページングすること、を含む。
【０００７】
１つの態様において、短スロット・サイクル・ページングを提供するための装置は、記憶装置、受信機、送信機、及び、記憶装置、受信機、及び、送信機と通信上で結合されたプロセッサ、を含む。該プロセッサは上述の方法を遂行することができる。
【発明を実施するための最良の形態】
【０００８】
本発明の特徴、及び利点は図面を使用して下記に記載される詳細な実施形態の説明から更に明らかになる。
複数の実施形態が詳細に説明される前に、本発明の範囲は下記の説明において開示される、或は、図面で説明される、諸構成要素の組立て及び配置の詳細に限定されるべきではないこと、が理解されるべきである。又、本明細書において使用される表現及び用語は説明のためであって、限定的なものと見做されるべきではないこと、が理解されるべきである。
【０００９】
図１は、１つの実施形態を実施するための、グループ通信システム１００の機能ブロック図を図示する。グループ通信システム１００は、プッシュ・ツー・トーク（push-to-talk）（ＰＴＴ）システム、ネット同報サービス（net broadcast service）（ＮＢＳ）、ディスパッチ・システム、或は１対多地点通信システム、としても又知られている。１つの実施形態において、グループ通信システム１００は、集中配置であるか或は地域分散配置であるか何れかに配置されることが可能な、グループ通話サーバ（group call server）１０２を含む。
【００１０】
例えばＣＤＭＡ２０００送受話器に配置されることが可能な、グループ通信装置（ＣＤ）１０４及び１０６は、例えば、データ・サービス・オプション（data service option）を利用してパケット・データ・セッション（packet data sessions）を要求することができる。各ＣＤは該セッションを利用することが出来て、グループ通話開始を実行するためにそのインターネット・プロトコル（Internet Protocol）（ＩＰ）アドレス（address）をグループ通話サーバに通報する。１つの実施形態において、グループ通話サーバ１０２はサービス・プロバイダ（service provider）の広域ネットワーク１１６を介してサービス・プロバイダのパケット・データ・サービス・ノード（packet data service nodes）（ＰＤＳＮs）に接続される。ＣＤ１０４及び１０６は、無線インフラストラクチャにパケット・データ・セッションを依頼すると、ＰＤＳＮ１１４を介してグループ通話１０２へのＩＰ接続権を得ることが出来る。ＰＤＳＮは固定されたネットワークにおけるデータ伝送と無線インタフェースを介するデータ伝送との間のインタフェースを提供する。各ＰＤＳＮはパケット制御機能（packet control function）（ＰＣＦ）１０８及びネットワーク１１２を介して基地局制御器（base station controller）（ＢＳＣ）にインタフェースすることが出来る。ＰＣＦは基地局（ＢＳ）１１０内でＢＳＣと共に配置されても良い。
【００１１】
パケット・データ・サービス・ノードは幾つかの状態、例えば、作動或は接続された状態、活動休止状態、及び、零或は不活動状態、の１つにあり得る。作動或は接続された状態においては、参加しているＣＤとＢＳ或はＢＳＣとの間に作動中の情報（トラフィック）チャネルが存在し、そして、何れかの側がデータを送ることができる。活動休止状態においては、参加しているＣＤとＢＳＣとの間に作動中の情報チャネルが存在しない、しかし、参加しているＣＤとＰＤＳＮとの間の２地点間（point-to-point）（ＰＰＰ）接続は保持されている。零或は不活動状態においては、参加しているＣＤとＢＳＣとの間に作動中の情報チャネルが存在しない、そして、参加しているＣＤとＰＤＳＮとの間のＰＰＰ接続は保持されない。
【００１２】
パワーアップ後、ＣＤ１０４及び１０６はパケット・データ・セッションを依頼することができる。パケット・データ・セッションを確立することの一環として、各ＣＤはＩＰアドレスを割り当てられることができる。各ＣＤは登録プロセスを実行できてグループ通話サーバ１０２に該ＣＤのＩＰアドレスを通報する。登録は、ユーザ・データグラム・プロトコル（user datagram protocol）（ＵＤＰ）を介するセッション開始プロトコル（session initiation protocol）（ＳＩＰ）のような、ＩＰプロトコルを使用して遂行され得る。ＣＤのＩＰアドレスは、対応する利用者がグループ通話の中に招き入れられる時、該ＣＤに連絡するために使用され得る。
【００１３】
一旦グループ通話が確立されると、ＣＤ１０４と１０６及びグループ通話サーバ１０２はメディア及び信号メッセージを交換できる。１つの実施形態において、メディアは、ＵＤＰを介する実時間プロトコル（real-time protocol）（ＲＴＰ）を利用することにより、参加しているＣＤとグループ通話サーバとの間で交換され得る。信号メッセージも又ＵＤＰを介するシグナリング・プロトコル（signaling protocol）を利用することによって交換され得る。
【００１４】
グループ通信システム１００は、グループ通話サービスを動かすために、幾つかの異なる機能を遂行する。ユーザ側に関連する諸機能は、ユーザ登録、グループ通話始動、グループ通話終了、グループ参加者への警報の送付、グループ通話への遅れた参加、送話者調停、グループへのメンバー追加、グループからのメンバー削除、メンバー不登録、及び認証、を含む。システム準備及び運転に関連する諸機能は、管理とプロビジョニング、拡張性及び信頼性を含む。
【００１５】
図２は、種々の開示された実施形態を実行することができる、基地局２０４及び移動局２０６の簡略化されたブロック図である。特別な通信に対して、音声データ、パケット・データ、及び／又はメッセージが、無線インタフェース２０８を介して、基地局２０４と移動局２０６との間で交換されることが出来る。基地局と移動局との間の通信セッションを確立するために使用されるメッセージ、登録及びページングのメッセージ、（例えば、出力制御、データ転送速度情報、確認応答、等々）データ伝送を制御するために使用されるメッセージ、の様な、種々の型のメッセージが伝送されることが出来る。これ等のメッセージの型の幾つかが下記に更に詳細に説明される。
【００１６】
逆方向リンクのために、移動局２０６では、（例えば、データ・ソース２１０からの）音声及び／又はパケット・データ及び（例えば、コントローラ２３０からの）メッセージが送信（ＴＸ）データ処理装置２１２に供給され、該データ処理装置は、符号化されたデータを生成するための１又は複数のコード体系を用いて、データ及びメッセージを書式設定及び符号化する。各コード体系は、巡回冗長検査（cyclic redundancy check）（ＣＲＣ）、畳み込み、ターボ（turbo）、ブロック（block）、及びその他の符号化を含むことができるし、或は、符号化を全く含まないこともあり得る。音声データ、パケット・データ及びメッセージは異なる体系を利用して符号化されることが可能である、そして、異なる型のメッセージは異なる符号化が行われることが可能である。
【００１７】
符号化されたデータは次に変調器（modulator）（ＭＯＤ）２１４に供給され、そして、更に処理される（例えば、カバー（cover）され、短い擬似雑音系列を用いて拡散され、そして、利用者端末に割り当てられた長い擬似雑音系列でスクランブル（scramble）される）。次に、変調されたデータは送信機（transmitter unit）（ＴＭＴＲ）２１６に供給され、そして、逆方向リンク信号を生成するために調整される（例えば、１又は複数のアナログ信号に変換され、増幅され、フィルターを通され、そして直交変調される）。逆方向リンク信号は送受切替器（duplexer）（Ｄ）２１８を介して転送され、そして、アンテナ２２０を介して基地局２０４に送信される。
【００１８】
基地局２０４では、逆方向リンク信号がアンテナ２５０により受信され、送受切替器２５２を介して転送され、そして、受信機（receiver unit）（ＲＣＶＲ）２５４に供給される。基地局２０４は移動局２０６から登録情報及び状況情報、例えば、移動局の移動速度、を受信することができる。受信機２５４は受信信号を調整する（例えば、フィルターを通し、増幅し、ダウン・コンバート（down convert）し、そしてディジタル化する）、そして、標本を供給する。復調器（demodulator）（ＤＥＭＯＤ）２５６は回復されたシンボルを供給するために該標本を受信しそして処理する（例えば、逆拡散し、デカバー（decover）し,パイロット復調する）。復調器２５６は受信信号の多数の重なり例を処理しそして合成されたシンボルを生成するレーク受信機を実装することができる。受信（receiving）（ＲＸ）データ処理装置２５８は次にシンボルを復号し逆方向リンク上を送信されたデータ及びメッセージを回復する。回復された音声／パケット・データはデータ蓄積装置２６０に供給される、そして、回復されたメッセージは制御器２７０に供給されることができる。制御器２７０は移動局のグループをページングするための、短スロット・サイクル・ページングを提供するための、基地局が短スロット・サイクル・ページングに対応可能であることを移動局に示すための、通信装置（ＣＤ）からの情報を受信するための、該ＣＤも又短スロット・サイクル・ページングに対応可能であることを示すための、及び、受信された情報に基づいて該ＣＤをページングするための、指示を含むことができる。
【００１９】
復調器２５６及び受信データ処理装置２５８による処理は移動局２０６で遂行される処理に相補的である。更に、復調器２５６及び受信データ処理装置２５８は、例えば、リバース基本チャネル（reverse fundamental channel）（Ｒ−ＦＣＨ）及びリバース補助チャネル（reverse supplemental channel）（Ｒ−ＳＣＨ）のような、複数のチャネルを介して受信される多重伝送を処理するために作動させられることができる。又、複数の移動局からの送信が同時であっても良く、各送信はリバース基本チャネル、リバース補助チャネル、或は両方の上を伝送されることが可能である。
【００２０】
順方向リンク上で、基地局２０４では、音声及び／又は（例えば、データ・ソース２６２からの）パケット・データ、及び（例えば、制御器２７０からの）メッセージは送信（transmit）（ＴＸ）データ処理装置２６４により処理される（例えば、書式設定されそして符号化される）、更には変調器（modulator）（ＭＯＤ）２６６により処理される（例えば、カバーされそして拡散される）、そして順方向リンク信号を生成するために送信機（transmitter unit）（ＴＭＴＲ）２６８により調整される（例えば、アナログ信号に変換され、増幅され、フィルターを通され、そして直交変調される）。順方向リンク信号は送受切替器２５２を介して転送され、そして、アンテナ２５０を介して移動局２０６に送信される。順方向リンク信号はページング信号を含む。
【００２１】
移動局２０６では、順方向リンク信号がアンテナ２２０により受信され、送受切替器２１８を介して転送され、そして、受信機２２２に供給される。受信機２２２は受信信号を調整する（例えば、ダウン・コンバートし、フィルターを通し、増幅し、直交変調し、そしてディジタル化する）、そして、標本を供給する。該標本はシンボルを供給するために復調器２２４により処理される（例えば、逆拡散され、デカバーされ、そしてパイロット復調される）、そして、順方向リンク上を伝送されたデータ及びメッセージを回復するために、該シンボルは受信データ処理装置２２６により更に処理される（例えば、復号されそして検査される）。回復されたデータはデータ蓄積装置２２８に供給される、そして、回復されたメッセージは制御器２３０に供給されることができる。制御器２３０は移動局２０６を登録するための、短スロット・サイクル・ページング情報を基地局（ＢＳ）に提供するための、該ＢＳからのシステム・パラメータ・メッセージを受信するための、該ＢＳが短スロット・サイクル・ページングに対応可能であるかどうかを決定するための、もし該ＢＳが短スロット・サイクル・ページングに対応可能であることが決定された場合ＣＤも又短スロット・サイクル・ページングに対応可能であることを示すための、及び、所望のスロット・サイクル長さをセット又は符号化するための、指示を含むことができる。
【００２２】
グループ通話サービス（group call service）（ＧＣＳ）は１人の利用者が半２重又は全２重モードで利用者のグループに送話することを可能にする。前者の場合において、一時に１人だけが送話することを許されているために、送話する許可はインフラストラクチャにより抑制されている。このようなシステムにおいては、利用者は、例えば、プッシュ・ツー・トーク “push-to-talk”（ＰＴＴ）ボタンを押すことにより送話する許可を依頼することができる。システムは多数の利用者から受信された依頼を調停することができる、そして、争い−解決の過程を経て、システムは設定されたアルゴリズムに従って複数の依頼者の内の１人を選択することができる。次に、システムは選択された利用者に、該利用者は送話する許可を得たことを、通知することができる。システムは認定された送話者からの音声及び／又はデータのような利用者のトラフィック情報を、“受話者”と考えられることが出来る、グループの残りのメンバーにありのまま急送することができる。グループ通話サービス（ＧＣＳ）における音声及び／又はデータ・トラフィックは古典的な１対１の電話による通話とは異なることがあり得る、そして、優先権は会話の上に置かれることが可能である。
【００２３】
図３は、如何にして通信装置（ＣＤ）３０２，３０４及び３０６がグループ通話サーバ３０８と交信するかを示すためにグループ通話の構成３００を図示する。大規模グループに対しては、多数のグループ通話サーバが好ましいように配置されることができる。図３において、ＣＤ３０２がグループの他のメンバーにメディアを送信するための許可を持つ場合、ＣＤ３０２は送話者として知られそして確立されたチャネルを介してメディアを送信できる。ＣＤ３０２が送話者として指定されている時、残りの参加者ＣＤ３０４とＣＤ３０６はグループにメディアを送信するための許可を得ることはできない。従って、ＣＤ３０４とＣＤ３０６は受話者として指定される。上述で説明されたように、ＣＤ３０２、３０４及び３０６は、少なくとも１つのチャネルを使用して、グループ通話サーバ３０８に接続されている。１つの実施形態において、該チャネルはセッション開始プロトコル（session initiation protocol）（ＳＩＰ）チャネル、メディア信号チャネル、及び、メディア情報チャネルを含むことができる。
【００２４】
図４は、１つの実施形態に従って、グループ通話セットアップを示すメッセージ流れ図を図示する。グループ通話を始めたい利用者は１人又は複数の相手利用者、１又は複数の予定されたグループ、或は両者の組合せを選択することができて、そして、例えば、ＣＤ上のプッシュ・ツー・トーク（ＰＴＴ）ボタンを下押することができる。該発呼者のＣＤは次にグループ通話をセットアップするためにグループ通話サーバにグループ通話依頼４０２を送ることができる。該発呼者がグループ通話を開始する時、該発呼者のＣＤは活動休止中のパケット・データ・セッションにあることもできる。グループ通話依頼は、該発呼者のＣＤが専用情報チャネルを有しているか否かに関係なく、送信されることができる。グループ通話依頼が送られた後、もし該発呼者のＣＤが活動休止中のパケット・データ・セッションにあるならば、該発呼者のＣＤはその専用情報チャネルを再確立する手続きを開始し、そして、メディア活動のためのパケット・データ・セッションを準備することができる。
【００２５】
グループ通話サーバがグループ通話依頼を受信すると、グループ通話サーバは、もしグループ通話依頼の中に何かが特定されているならば、設定されたグループを拡張してグループ・メンバー表にすることができる。グループ通話サーバは所望の相手グループ・メンバーのための所在地情報を検索することができる。グループ通話サーバは又相手グループがシステム中で既に作動中であるかどうかを決定することができる。図４は該グループが未だ作動していない場合のシナリオを示す。
【００２６】
グループ通話サーバが相手グループ・メンバーの少なくとも１つの所在を確定した後、該グループ通話サーバは該発呼者のＣＤにグループ通話がセットアップされることを示す応答４０４を送り返す。この時点で、該発呼者のＣＤは該発呼者の送話依頼を楽観的に認めることができる。該発呼者のＣＤは受信されたメディアを、グループ通話サーバへの未来の送信のために、バッファに保留することを開始できる。グループ通話サーバは複数の相手受話者ＣＤに対し通知４０６を送るために該複数の相手受話者ＣＤの所在地情報を利用することができる。通知を送ることは、該複数の相手受話者ＣＤのパケット・データ・セッションを始動させることが出来て、活動休止状態を抜け出し、そして、彼等の情報チャネルを再確立する。該複数の相手受話者の少なくとも１人がグループ通話通知４０６に応答すると、グループ通話サーバは応答４０８を受信し、そして、該発呼者ＣＤにグループ通話応答４１０を送付する。
【００２７】
１つの実施形態において、グループ通信システムは、グループ通話サービスのために、談話室モデル及びアドホック・モデルを共にサポートする。談話室モデルにおいて、グループは設定されており、それはグループ通話サーバ上に保管されることが出来る。設定されたグループ、或は、ネットは公開であることが出来る、即ち、グループは公開のメンバー表を有することを意味する。この場合、各グループ・メンバーはグループ通話における潜在的な参加者である。グループ通話は最初のグループ・メンバーがグループ通話の始動を始める時に開始される。通話は、サービス・プロバイダにより配置され得る、予定された時間の間進行し続ける。グループ通話の間、グループ・メンバーは通話に参加する、或は、離れることを特別に依頼することが出来る。通話活動が休止している間、グループ通話は、グループ・メンバーが送話する許可を依頼するまで、グループ活動休止状態に導かれることができる。談話室モデルにおいて作動する時、ネット・メンバーとしても知られる、グループ・メンバーは各ネット・メンバーに割り当てられた通信装置を使用して互いに通信する。“ネット”という用語は互いに通信することを認定されたグループ・メンバーを意味する。
【００２８】
しかしながら、グループ通話サービスのアドホック・モデルでは、グループはリアルタイムで決められることが出来て、そして、各グループに関係付けられた非公開のメンバー表を有している。非公開のメンバー表はどのメンバーがグループ通話に参加することを許されているかを特定することが出来る。該メンバー表は非公開のメンバー表の外部の他人には入手され得ない、そして、該通話が成立している間に限って存在し得る。アドホック・グループの定義はグループ通話サーバには保管されることが出来ない。その定義はそのグループ通話を成立させるために使用され、そして、通話が終わった後には解消されることが出来る。アドホック・グループは、ある発呼者が１人又は複数の相手メンバーを選択し、そしてグループ通話依頼を生成する時に、形成されることが出来て、該依頼は通話を始めるためにグループ通話サーバに送られる。該グループ通話サーバは相手のグループ・メンバーに彼等がグループに含まれたという通報を送ることが出来る。該グループ通話サーバは相手メンバーを自動的にグループ通話に参加させることが出来る、即ち、相手メンバーからの対応は何も要求されなくて良い。アドホック通話が活動休止になる時、グループ通信サーバは該通話を“取り壊し”、そして、通話を開始するために使用されたグループの定義を含む、該グループに割り当てられた資源を解放することが出来る。
【００２９】
“即時応答”は、発呼者のＣＤからグループ通話依頼４０２を送ることを以って始まり、そして該発呼者のＣＤによるグループ通話依頼４１０を受信することを以って終了する、通話セットアップ応答時間に関係する。プッシュ・ツー・トークＰＴＴ或はグループ通話依頼への応答に対する目標は設定時間以内に、例えば１．５秒以内で依頼に一貫して応答することである。多くの場合、発呼者がグループ通話のセットアップを依頼する時、該発呼者のパケット・データ・セッションは活動休止状態である、即ち、専用情報チャネルが存在しないことを意味する。動作するチャネルを再確立することは相当な時間を取ることがある。１つの実施形態において、グループ通話サーバは相手受話者達のＣＤを呼び出して、該ＣＤの所在位置を突き止める。
【００３０】
図５はスロット・サイクルの構成に対する一実施形態を示す。例えば、１．２８秒のスロット・サイクル５０２は各々０．０８秒の１６のスロット５０４から構成されている。活動休止中の相手ＣＤは、順方向ページング・チャネル（forward paging channel）（Ｆ−ＰＣＨ）上の、或は、相手ＣＤを取り扱う無線インフラストラクチャの順方向共通制御チャネル（forward common control channel）（Ｆ−ＣＣＣＨ）上の、このようなスロットの内の設定された１つを監視する。基地局と移動局は、例えば、ＳＬＯＴ−ＣＹＣＬＥ−ＩＮＤＥＸ（ＳＣＩ）のための値を指定することにより彼等のスロット・サイクルを公表することが出来る。ページング遅れとしても知られている、スロット・サイクルの持続時間は、（２＾ＳＣＩ）×１．２８秒、により定義されることが出来る。１つの実施形態において、ＳＣＩは０，１，２，３，４等のような正値をとる。しかしながら、正のＳＣＩ値に対する、より長いページング遅れは通話セットアップにより長い時間をとらせる。上述に説明したように、グループ通話サービスのような、あるアプリケーションに対しては、より短い通話セットアップが要求される。１つの実施形態において、ＳＣＩは−１、−２、−３、及び−４のような負値をとる。負のＳＣＩ値はページング遅れ、従って、通話セットアップ遅れを短縮する。
【００３１】
図６は基地局において短スロット・サイクル・ページングを提供するための流れ図を図示する。基地局（ＢＳ）は負のスロット・サイクル・インデクスページングに対応可能であることを相手ＣＤに公表することが出来る。例えば、ステップ６０２では、該ＢＳは、拡張システム・パラメータ・メッセージ（extended system parameter message）（ＥＳＰＭ）或はＡＮＳＩ−４１システム・パラメータ・メッセージ（ANSI-41 system parameter message）（Ａ４１ＳＰＭ）において、ＡＵＴＯ＿ＭＳＧ＿ＳＵＰＰＯＲＴＥＤフィールドを“１”にセットすることが出来て、ＢＳが負のスロット・サイクル・インデクスページングをサポートするかどうかを示す。ステップ６０４では、負のスロット・サイクル・インデクスページングをサポートする該ＢＳは各相手ＣＤからの登録メッセージ（registration message）（ＲＭ）、始動メッセージ（origination message）（ＯＭ）、及び、ページ応答メッセージ（page response message）（ＰＲＭ）におけるＷＬＬ＿ＩＮＣＬフィールドを受信しそして解読する。ステップ６０６では、もし受信された登録メッセージ、始動メッセージ、或は、ページ応答メッセージにおいてＷＬＬ＿ＩＮＣＬフィールドが“１”にセットされており、これ等のメッセージの１つを送ったＣＤも又負のスロット・サイクル・インデクスページングに対応可能であることを示すならば、該ＢＳは、表１に示されるように、スロット・サイクル・インデクス値が負であると解読する。
【００３２】
ステップ６０８では、該ＢＳは受信されたスロット・サイクル・インデクス、これは２進数形式であり得る、が１０進値の５、６、或は７を有するかどうかを検査する。もし受信されたスロット・サイクル・インデクス１０進値の５、６、或は７を有するならば、ページング・サイクルが単一スロット、例えば０．０８０秒、より短いことはあり得ないことを意味する、エラー・メッセージがステップ６１０において生成される。その他の場合、もし受信されたスロット・サイクル・インデクスが１０進値の０、１、２、３、或は４を有するならば、該ＢＳは、ステップ６１２において、受信されたスロット・サイクル・インデクス値が負であると解読する。−１のスロット・サイクル・インデクス値は、８スロット毎に、或は０．６４秒毎に、該ＢＳに相手ＣＤのページングをさせる。−２のスロット・サイクル・インデクス値は、４スロット毎に、或は０．３２秒毎に、該ＢＳに相手ＣＤのページングをさせる。−３のスロット・サイクル・インデクス値は、２スロット毎に、或は０．１６秒毎に、該ＢＳに相手ＣＤのページングをさせる。−４のスロット・サイクル・インデクス値は、毎スロット毎に、或は０．０８秒毎に、該ＢＳに相手ＣＤのページングをさせ、相対的により短いスロット・サイクル・ページングを提供する。
【００３３】
しかしながら、もし、ステップ６０６において、登録メッセージ、始動メッセージ、或は、ページ応答メッセージにおいてＷＬＬ＿ＩＮＣＬフィールドが“０”にセットされており、これ等のメッセージの１つを送ったＣＤが負のスロット・サイクル・インデクスページングに対応できないことを示すならば、該ＢＳは、ステップ６１４において、表１に示されるように、スロット・サイクル・インデクス値が正であると解読する。“０”のスロット・サイクル・インデクス値は、１６スロット毎に、或は１．２８秒毎に、該ＢＳに相手ＣＤのページングをさせる。１のスロット・サイクル・インデクス値は、３２スロット毎に、或は２．５６秒毎に、該ＢＳに相手ＣＤのページングをさせる。２のスロット・サイクル・インデクス値は、６４スロット毎に、或は５．１２秒毎に、該ＢＳに相手ＣＤのページングをさせる。３のスロット・サイクル・インデクス値は、１２８スロット毎に、或は１０．２４秒毎に、該ＢＳに相手ＣＤのページングをさせる。同様に、７のスロット・サイクル・インデクス値は、２０４８スロット毎に、或は１６３．８４秒毎に、該ＢＳに相手ＣＤをページさせ、相対的により長いスロット・サイクル・ページングを提供する。
【００３４】
【表１】
2007532029.tif 000003
図７は、１つの実施形態に従って、相手ＣＤにおける短スロット・サイクル・ページングを提供するための流れ図を図示する。各々の相手ＣＤは負の或はより短いスロット・サイクル・ページング対応できることをＢＳに対し公表することが出来る。例えば、ステップ７０２では、ＣＤは、拡張システム・パラメータ・メッセージ（ＥＳＰＭ）或はＡＮＳＩ−４１システム・パラメータ・メッセージ（Ａ４１ＳＰＭ）において、フィールドＡＵＴＯ＿ＭＳＧ＿ＳＵＰＰＯＲＴＥＤを受信しそして解読し、該ＢＳが短スロット・サイクル・ページングに対応可能であるかどうかを決定する。ステップ７０４では、もし該ＣＤが、該ＢＳはＡＵＴＯ＿ＭＳＧ＿ＳＵＰＰＯＲＴＥＤフィールドを“１”にセットしており、該ＢＳが短スロット・サイクル・ページングに対応可能であることを示す、と決定するならば、同じく短スロット・サイクル・ページングに対応可能である該ＣＤは、ステップ７０６で、登録メッセージ、始動メッセージ、或は、ページ応答メッセージにおいて、ＷＬＬ＿ＩＮＣＬフィールドを“１”にセットする。上述で説明したように、これ等のメッセージは該相手ＣＤが短スロット・サイクル・ページングに対応可能であることを該ＢＳに示し、そして、関連するスロット・サイクル・インデクスは、上述で説明されそして表１に示されるように、負と考えられることが出来る。ステップ７０８では、該ＣＤは、スロット・サイクル・インデクスを特定或は符号化することにより、所望のスロット・サイクル長さをセットする。
【００３５】
ステップ７０４では、もし該ＣＤが、該ＢＳはＡＵＴＯ＿ＭＳＧ＿ＳＵＰＰＯＲＴＥＤフィールドを“０”にセットしており、該ＢＳが短スロット・サイクル・ページングに対応可能ではないことを示す、と決定するならば、該ＣＤは、ステップ７１０で、登録メッセージ、始動メッセージ、或は、ページ応答メッセージにおいて、ＷＬＬ＿ＩＮＣＬフィールドを“０”にセットする。上述で説明したように、これ等のメッセージは該相手ＣＤが短スロット・サイクル・ページングに対応可能ではないことを該ＢＳに示し、そして、関連するスロット・サイクル・インデクスは、上述で説明されそして表１に示されるように、正であると考えられることが出来る。
【００３６】
図８は、１つの実施形態において、基地局における短スロット・サイクル・ページングを提供するための流れ図を図示する。該ＢＳは負のスロット・サイクル・インデクスページングに対応可能であることを相手ＣＤに公表することが出来る。例えば、該ＢＳは、ステップ８０２で、拡張システム・パラメータ・メッセージ（ＥＳＰＭ）或はＡＮＳＩ−４１システム・パラメータ・メッセージ（Ａ４１ＳＰＭ）において、ＡＵＴＯ＿ＭＳＧ＿ＳＵＰＰＯＲＴＥＤフィールドを“１”にセットすることが出来て、ＢＳが負のスロット・サイクル・インデクスページングをサポートするかどうかを示す。ステップ８０４では、負のスロット・サイクル・インデクスページングをサポートする該ＢＳは各相手ＣＤからの登録メッセージ（ＲＭ）、始動メッセージ（ＯＭ）、及び、ページ応答メッセージ（ＰＲＭ）におけるＷＬＬ＿ＩＮＣＬフィールドを受信しそして解読する。ステップ８０６では、もし受信された登録メッセージ、始動メッセージ、或は、ページ応答メッセージにおいてＷＬＬ＿ＩＮＣＬフィールドが“１”にセットされており、これ等のメッセージの１つを送ったＣＤも又負のスロット・サイクル・インデクスページングに対応可能であることを示すならば、該ＢＳは、表１に示されるように、スロット・サイクル・インデクス値が負であると解読する。
【００３７】
ステップ８０８において、該ＢＳは、短スロット・サイクルをサポートする該ＣＤがより短いかスロット・サイクル・ページングのための値をセットしているどうかを検査する。１つの実施形態において、該ＣＤは、ＷＬＬ＿ＤＥＶＩＣＥ＿ＴＹＰＥフィールドにおいて、表２に示されるような値をセットすることが出来る。該ＢＳはデータベース中に特定された短スロット・サイクル長さを保管し、そして、保管された値に基づいて短スロット・サイクル・ページングに対応可能な該相手ＣＤをページングすることができる。
【００３８】
【表２】
2007532029.tif 000004
もしＷＬＬ−ＤＥＶＩＣＥ−ＴＹＰＥフィールドの内容が１０進値１、２、３、或は４にセットされているならば、該ＢＳは、ステップ８１０において、受信された値は負のスロット・サイクル・インデクスであると解読する。−１のスロット・サイクル・インデクス値は、８スロット毎に、或は０．６４秒毎に、該ＢＳに相手ＣＤのページングをさせる。−２のスロット・サイクル・インデクス値は、４スロット毎に、或は０．３２秒毎に、該ＢＳに相手ＣＤのページングをさせる。−３のスロット・サイクル・インデクス値は、２スロット毎に、或は０．１６秒毎に、該ＢＳに相手ＣＤのページングをさせる。−４のスロット・サイクル・インデクス値は、毎スロット毎に、或は０．０８秒毎に、該ＢＳに相手ＣＤのページングをさせ、相対的により短いスロット・サイクル・ページングを提供する。
【００３９】
しかしながら、もしステップ８０６において、登録メッセージ、始動メッセージ、或は、ページ応答メッセージにおいて、ＷＬＬ＿ＩＮＣＬフィールドが“０”にセットされており、これ等のメッセージの１つを送ったＣＤが負のスロット・インデクスページングに対応できないことを示すならば、該ＢＳは、ステップ８１４において、上述で説明されたように、スロット・サイクル・インデクス値が正であると解読する。
【００４０】
図９は、１つの実施形態に従って、相手ＣＤにおいて短スロット・サイクル・ページングを提供するための流れ図を図示する。各々の相手ＣＤは負の或はより短いスロット・サイクル・ページングに対応可能であることをＢＳに公表することが出来る。例えば、ステップ９０２では、ＣＤは、拡張システム・パラメータ・メッセージ（ＥＳＰＭ）或はＡＮＳＩ−４１システム・パラメータ・メッセージ（Ａ４１ＳＰＭ）において、ＡＵＴＯ＿ＭＳＧ＿ＳＵＰＰＯＲＴＥＤフィールドを受信しそして解読することが出来て、ＢＳが短スロット・サイクル・ページングに対応可能であるかどうかを決定する。ステップ９０４では、もし該ＣＤが、該ＢＳはＡＵＴＯ＿ＭＳＧ＿ＳＵＰＰＯＲＴＥＤフィールドを“１”にセットしており、該ＢＳが短スロット・サイクル・ページングに対応可能であることを示す、と決定するならば、同じく短スロット・サイクル・ページングに対応可能である該ＣＤは、ステップ９０６で、登録メッセージ、始動メッセージ、或は、ページ応答メッセージにおいて、ＷＬＬ＿ＩＮＣＬフィールドを“１”にセットする。上述で説明したように、これ等のメッセージは該相手ＣＤが短スロット・サイクル・ページングに対応可能であることを該ＢＳに示し、そして、関連するスロット・サイクル・インデクスは、上述で説明されそして表２に示されるように、負と考えられることが出来る。ステップ９０８では、該ＣＤは、ＷＷＬ−ＤＥＶＩＣＥ−ＴＹＰＥフィールドを特定或は符号化することにより、所望のスロット・サイクル長さをセットすることができる。
【００４１】
ステップ９０４では、もし該ＣＤが、該ＢＳはＡＵＴＯ＿ＭＳＧ＿ＳＵＰＰＯＲＴＥＤフィールドを“０”にセットしており、該ＢＳが短スロット・サイクル・ページングに対応可能ではないことを示す、と決定するならば、該ＣＤは、ステップ９１０で、登録メッセージ、始動メッセージ、或は、ページ応答メッセージにおいて、ＷＬＬ＿ＩＮＣＬフィールドを“０”にセットする。上述で説明したように、これ等のメッセージは該相手ＣＤが短スロット・サイクル・ページングに対応可能ではないことを該ＢＳに示し、そして、関連するスロット・サイクル・インデクスは、上述で説明されたように、正と考えられることが出来る。
【００４２】
図１０は基地局における短スロット・サイクル・ページングを提供するための流れ図を図示する。ＢＳは負のスロット・サイクル・インデクスページングに対応可能であることを相手ＣＤに公表することが出来る。例えば、ステップ１００２では、該ＢＳは、拡張システム・パラメータ・メッセージ（ＥＳＰＭ）或はＡＮＳＩ−４１システム・パラメータ・メッセージ（Ａ４１ＳＰＭ）において、ＡＵＴＯ＿ＭＳＧ−ＳＵＰＰＯＲＴＥＤフィールドを“１”にセットすることが出来て、ＢＳが負のスロット・サイクル・インデクスページングをサポートするかどうかを示す。ステップ１００４では、負のスロット・サイクル・インデクスページングをサポートする該ＢＳは各相手ＣＤからの登録メッセージ（ＲＭ）、始動メッセージ（ＯＭ）、及び、ページ応答メッセージ（ＰＲＭ）におけるスロット・サイクル・インデクスフィールドを受信しそして解読する。ステップ１００６では、もし該スロット・サイクル・インデクスフィールドの最重要ビット（the most significant bit）（ＭＳＢ）が“１”にセットされており、これ等のメッセージの１つを送ったＣＤも又負のスロット・サイクル・インデクスページングに対応可能であることを示すならば、該ＢＳは、表３に示されるように、スロット・サイクル・インデクス値が負であると解読する。
【００４３】
【表３】
2007532029.tif 000005
もし該スロット・サイクル・インデクスフィールドの内容が１０進値の４、５、６、又は７にセットされているならば、該ＢＳは、ステップ１００８において、受信された値が負のスロット・サイクル・インデクスであると解読する。スロット・サイクル・インデクス値４は、毎スロット毎に、或は０．０８秒毎に、該ＢＳに相手ＣＤのページングをさせ、相対的により短いスロット・サイクル・ページングを提供する。スロット・サイクル・インデクス値５は、２スロット毎に、或は０．１６秒毎に、該ＢＳに相手ＣＤのページングをさせる。スロット・サイクル・インデクス値６は、４スロット毎に、或は０．３２秒毎に、該ＢＳに相手ＣＤのページングをさせる。スロット・サイクル・インデクス値７は、８スロット毎に、或は０．６４秒毎に、該ＢＳに相手ＣＤのページングをさせる。しかしながら、もし、ステップ１００６において、スロット・サイクル・インデクスの最重要ビット（ＭＳＢ）が“０”であると決定され、これ等のメッセージの１つを送ったＣＤは負のスロット・インデクスページングに対応できないことを示すならば、該ＢＳは、表１に示されるように、スロット・サイクル・インデクス値が正であると解読する。
【００４４】
図１１は、１つの実施形態において、相手ＣＤにおける短スロット・サイクル・ページングを提供するための流れ図を図示する。各々の相手ＣＤは負の或はより短いスロット・サイクル・ページングに対応可能であることをＢＳに公表することが出来る。例えば、ステップ１１０２では、ＣＤは、拡張システム・パラメータ・メッセージ（ＥＳＰＭ）或はＡＮＳＩ−４１システム・パラメータ・メッセージ（Ａ４１ＳＰＭ）において、ＡＵＴＯ＿ＭＳＧ＿ＳＵＰＰＯＲＴＥＤフィールドを受信及び解読し、ＢＳが短スロット・サイクル・ページングに対応可能であるかどうかを決定する。ステップ１１０４では、もし該ＣＤが、該ＢＳはＡＵＴＯ−ＭＳＧ−ＳＵＰＰＯＲＴＥＤフィールドを“１”にセットしており、該ＢＳが短スロット・サイクル・ページングに対応可能であることを示す、ということを決定するならば、同じく短スロット・サイクル・ページングに対応可能である該ＣＤは、ステップ１１０６で、登録メッセージ、始動メッセージ、或は、ページ応答メッセージにおいて、スロット・サイクル・インデクス“１”でセット或は符号化することにより、所望の短スロット・サイクル長をセット或はコーディングする。上述で説明したように、これ等のメッセージは該相手ＣＤが短スロット・サイクル・ページングに対応可能であることを該ＢＳに示し、そして、関連するスロット・サイクル・インデクスは、上述で説明されそして表３に示されるように、負と考えられることが出来る。
【００４５】
ステップ１１０４では、もし該ＣＤが、該ＢＳはＡＵＴＯ＿ＭＳＧ＿ＳＵＰＰＯＲＴＥＤフィールドを“０”にセットしており、該ＢＳが短スロット・サイクル・ページングに対応可能ではないことを示す、と決定するならば、該ＣＤは、ステップ１１０８において、上述で説明されそして表１に示されるように、スロット・サイクル・インデクスはＭＳＢ“０”を持ち正であると解読する。
【００４６】
以上の結果、開示された実施形態は、グループ通信システムにおける相手移動局のグループをページングする時、ページング遅れの著しい削減を規定する。開示された方法及び装置は又、移動局の登録とページングを最適化することにより、より迅速な通話セットアップも規定する。
【００４７】
当業者等は情報と信号は任意の種々の異なる技術とプロトコルを使用して表されることが出来ることを理解する。例えば、上述の説明全体に亘って参照されることが出来る、データ、指示、命令、情報、信号、ビット、シンボル、及び、チップは、電圧、電流、電磁波、磁場又は磁性粒子、光学的場又は光学粒子，或はこれ等の任意の組合せ、により表すことが可能である。
【００４８】
当業者等は更に、本明細書中で開示された実施形態と関連して説明された種々の説明的な論理ブロック、モジュール、回路、およびアルゴリズム・ステップはエレクトロニック・ハードウェア、コンピュータ・ソフトウェア、或は両者の組合せとして実現されることが可能であること、を認識する。ハードウェアとソフトウェアのこの交換可能性を明確に説明するために、種々の説明的な構成要素、ブロック、モジュール、回路、及びステップが上述において一般にそれ等の機能を表す言葉で説明された。このような機能がハードウェアとして実現されるか或はソフトウェアとして実現されるかは、システム全体に課される特別な応用上及び設計上の制約に依存する。当業者等は説明された機能を各特別な応用に対して種々の方法で実現することが出来る、しかし、そのような実現の解決は本発明の範囲からの逸脱をもたらすので、説明されるべきではない。
【００４９】
本明細書中で開示された実施形態と関連して説明された種々の説明的な論理ブロック、モジュール、及び回路は、汎用プロセッサ、ディジタル信号処理装置（digital signal processor）（ＤＳＰ）、特定用途向け集積回路（application specific integrated circuit）（ＡＳＩＣ）、フィールド・プログラマブル・ゲート・アレイ（field programmable gate array）（ＦＰＧＡ）或は他のプログラム可能な論理デバイス、ディスクリート・ゲート（discrete gate）或はトランジスタ・ロジック（transistor logic）、ディスクリート・ハードウェア部品（discrete hardware components）、或は本明細書に記載された機能を実行するために設計されたそれ等の任意の組合せ、を用いて実現又は実行されることが出来る。汎用プロセッサはマイクロ・プロセッサであって良い、しかし、その代わりに、プロセッサは任意の通常のプロセッサ、制御器、マイクロ制御器、或はステート・マシン（state machine）であって良い。プロセッサは計算する装置の組合せ、例えば、ＤＳＰとマイクロプロセッサの組合せ、複数のマイクロプロセッサ、ＤＳＰコアと結合された１又は複数のマイクロプロセッサ、或は任意の他のこのような構成、として実現されることも可能である。
【００５０】
本明細書中で開示された実施形態に関連して説明された方法或はアルゴリズムのステップは、直接ハードウェアにおいて、プロセッサにより遂行されるソフトウェア・モジュールにおいて、或は両者の組合せにおいて、具体化されることが可能である。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、或は他の任意の公知の記憶媒体形式、中に存在することが出来る。具体例としての記憶媒体はプロセッサと連結されている、プロセッサがそこから情報を読み、そこに情報を書くような、記憶媒体である。それに代わって、記憶媒体はプロセッサと一体になることも出来る。プロセッサと記憶媒体はＡＳＩＣの中に存在することが可能である。該ＡＳＩＣは利用者端末の中に存在することが出来る。それに代わって、プロセッサと記憶媒体は利用者端末中で個別的部品として存在することも可能である。
【００５１】
開示された実施形態の説明は当業者の誰もが本発明を作る或は利用することを可能にするために提供されている。これ等の実施形態への種々の変更は当業者等には容易に明白であり、そして、本明細書中で定義される包括的な原理は、本発明の精神或は範囲を逸脱することなく、他の実施形態に、例えば、即時メッセージ・サービス、或は任意の一般的な無線データ通信アプリケーションにおいて、適用されることが出来る。かくして、本発明は、本明細書中に示される実施形態に限定されるようには意図されておらず、本明細書で開示された原理と新規性と首尾一貫する最も広い範囲を認容されるべきである。用語“具体例としての”は本明細書においては専ら“例、事例、あるいは例証として使用する”を意味するために使われる。
【図面の簡単な説明】
【００５２】
【図１】図１はグループ通信システムを図示する。
【図２】図２は図１において動作する基地局及び移動局に対する一実施形態を図示する。
【図３】図３は複数の通信装置がグループ通話サーバと如何に交信するかを図示する。
【図４】図４は１つの実施形態に従う通話セットアップ・プロセスを図示する。
【図５】図５はスロット・サイクルの構成に対する１つの実施形態を図示する。
【図６】図６は基地局において短スロット・サイクル・ページングを提供するための流れ図を図示する。
【図７】図７は移動局において短スロット・サイクル・ページングを提供するための流れ図を図示する。
【図８】図８は基地局において短スロット・サイクル・ページングを提供するための流れ図を図示する。
【図９】図９は移動局において短スロット・サイクル・ページングを提供するための流れ図を図示する。
【図１０】図１０は基地局において短スロット・サイクル・ページングを提供するための流れ図を図示する。
【図１１】図１１は移動局において短スロット・サイクル・ページングを提供するための流れ図を図示する。
【符号の説明】
【００５３】
１００…グループ通信システム、１１０…基地局、１１２…ネットワーク、２０４…基地局、２０６…移動局、２０８…無線インタフェース、２２０・２５０…アンテナ、３００…グループ通話の構成、３０８…グループ通話サーバ、ＰＤＳＮ…パケット・データ・サービス・ノード、ＰＣＦ…パケット制御機能、ＢＳＣ…基地局制御器、ＣＤ…通信装置
【図１】
2007532029.tif 000006
【図２】
2007532029.tif 000007
【図３】
2007532029.tif 000008
【図４】
2007532029.tif 000009
【図５】
2007532029.tif 000010
【図６】
2007532029.tif 000011
【図７】
2007532029.tif 000012
【図８】
2007532029.tif 000013
【図９】
2007532029.tif 000014
【図１０】
2007532029.tif 000015
【図１１】
2007532029.tif 000016
【国際調査報告】
2007532029.tif 000017